(57)【要約】【課題】重りを安全用ワイヤーロープの所定位置に取り付ける作業性を向上する【解決手段】ゴンドラ本体１は牽引用ワインダー２により牽引用ワイヤーロープ３を牽引操作することにより昇降路１０内を昇降する。このゴンドラ本体１には、ゴンドラ本体１が異常な速度で降下した際に、内部を貫通している安全用ワイヤーロープ５を把持することによりゴンドラ本体１を停止させる安全装置本体４が設けられている。安全用ワイヤーロープ５は安全装置本体４の内部を非拘束で貫通させるために、下方に重り１６が設けられて直線性が保持されている。この重り１６は、中央部に安全用ワイヤーロープ５が上下方向に沿って貫通する貫通孔を有すると共に、側面から中央部に向けて安全用ワイヤーロープ５が挿通できて貫通孔に導入可能な挿通用切り欠き１６ａを有し、安全用ワイヤーロープ５の途中位置で取り付けられるようになっている。【選択図】　図１
2004123356.tif 000002
【特許請求の範囲】
【請求項１】
昇降路の上部から吊下げられた安全用ワイヤーロープと、前記昇降路内を昇降するゴンドラ本体に設けられ、当該ゴンドラ本体が異常な速度で降下した際に、その内部を貫通して設けられた前記安全用ワイヤーロープを把持することにより当該ゴンドラ本体を停止させる安全装置本体と、前記安全用ワイヤーロープの下方に当該ワイヤーロープの直線性を保持するように設けられた重りとを備え、前記重りは、中央部に前記安全用ワイヤーロープが上下方向に沿って貫通する貫通孔を有すると共に、側面から中央部に向けて前記安全用ワイヤーロープが挿通できて前記貫通孔に導入可能な挿通用切り欠きを有していることを特徴とするゴンドラの安全装置。
【請求項２】
前記重りは、複数枚の板材を積み重ねて構成され、当該板材に形成された切り欠きまたは異なる形状の板材の組合せにより前記挿通用切り欠きが構成されていることを特徴とする請求項１に記載のゴンドラの安全装置。
【請求項３】
前記重りは複数枚の板材の枚数を増減することにより重量調整が可能に構成されていることを特徴とする請求項１に記載のゴンドラの安全装置。
【請求項４】
前記重りの上部に当該重りを前記安全用ワイヤーロープに固定するクリップが設けられていることを特徴とする請求項１に記載のゴンドラの安全装置。
【発明の詳細な説明】
【０００１】
【発明の属する技術分野】
本発明は、エレベータの据え付けなどに利用されるゴンドラに係り、特にゴンドラに設けられる安全装置に関するものである。
【０００２】
【従来の技術】
エレベータを据え付けるにあたっては、昇降路内に単管パイプを組立てた固定足場を利用するほかに、昇降路内にゴンドラを設置し、このゴンドラを利用してエレベータ用品を据え付ける方法がある。エレベータ用品の据え付けは、例えばゴンドラ本体を昇降させて乗り場出入り口装置、緩衝装置、ガイドレール、ブラケット、昇降路内機器の取り付け及び配管、結線を行ない、次いで最上階に搬送機器（かご枠、かご室）の組立て、最下階にカウンターウエイトの組立て、さらに巻上げ用ワイヤーロープ掛けを行なう作業が必要となる。
【０００３】
このような作業に利用されるゴンドラは、図７に示すように、保護柵１ａを有するゴンドラ本体１を備え、このゴンドラ本体１の水平方向両側に設けられた牽引用ワインダー２により、昇降路１０の天井に固定されて吊下げられた牽引用ワイヤーロープ３を牽引操作してゴンドラ本体１を昇降させるようになっている。またこのゴンドラ本体１には、ゴンドラ本体１の落下を防止する安全装置本体４が設けられている。この安全装置本体４は、ゴンドラ本体１に設けられ、また昇降路１０の天井に固定されて吊下げられた安全用ワイヤーロープ５が内部を貫通するように設けられており、ゴンドラ本体１が何らかの理由で落下する状況になった際には、その異常な降下速度を検出して歯状の噛み合い部を有する内部機構を動作させて安全用ワイヤーロープ５を把持することによりゴンドラ本体１を停止させるようになっている。
【０００４】
安全用ワイヤーロープ５は、ゴンドラ本体１の昇降に応じて安全装置本体４の内部を何ら拘束されずに通過する必要がある。このため、安全用ワイヤーロープ５の下部には重り６が取り付けられ、安全用ワイヤーロープ５が重り６の重みによって鉛直方向に沿って直線性を保持するようにしている。
【０００５】
【発明が解決しようとする課題】
ところで、従来、この重り６は、中央部に安全用ワイヤーロープ５が貫通できる孔を有する鋼板などの板材を積み重ねて構成され、その孔に安全用ワイヤーロープ５を通した後、昇降路床面から少し浮き上がった位置にクリップにより固定していた。
【０００６】
ところが、用意されている安全用ワイヤーロープ５が必要以上に長い場合が多く、しかも下端部が例えば渦巻き状に整理された状態にある場合が多いので、このような状態で重り６を安全用ワイヤーロープ５の所定位置に固定するには、整理された安全用ワイヤーロープ５を解いたうえで、安全用ワイヤーロープ５の先端から挿入する作業が必要となり、非常に面倒な作業となっていた。
【０００７】
本発明は、上述の問題点を考慮してなされたもので、重りを安全用ワイヤーロープの所定位置に取り付ける作業性を向上することのできるゴンドラの安全装置を提供することを目的とする。
【０００８】
【課題を解決するための手段】
上記目的を達成するために本発明は、ゴンドラ本体が異常な速度で降下した際に、安全装置本体がその内部を貫通している安全用ワイヤーロープを把持することによりゴンドラ本体を停止させる安全装置であって、安全用ワイヤーロープの下方に設けられる重りを、中央部に安全用ワイヤーロープが上下方向に沿って貫通する貫通孔を有すると共に、側面から中央部に向けて安全用ワイヤーロープが挿通できて貫通孔に導入可能な挿通用切り欠きを有するように構成したところに特徴を有する。
【０００９】
このような構成を有することにより、重りは、昇降路の上部から吊下げられた安全用ワイヤーロープに対して、重りが有する挿通用切り欠きを通して安全用ワイヤーロープの途中位置から挿入して取り付けることができるので、安全用ワイヤーロープの整理された状態を解いて先端から挿入する作業に比べて作業性を向上することができる。
【００１０】
この場合、重りは、複数枚の板材を積み重ねて構成し、板材に形成された切り欠きまたは異なる形状の板材の組合せにより挿通用切り欠きを構成することにより、容易に挿通用切り欠きを形成することができる。
【００１１】
また重りは、複数枚の板材の枚数を増減することにより重量調整が可能に構成することにより、例えば安全用ワイヤーロープの吊り長さに応じて重量を変えることができる。
【００１２】
さらに安全用ワイヤーロープに重りを固定するクリップを重りの上部に設けることにより、重りを安全用ワイヤーロープに固定する作業も容易に行なうことができる。
【００１３】
【発明の実施の形態】
以下、本発明の実施の形態を説明する。図１は本発明によるゴンドラの安全装置における第１実施の形態を示す正面図である。図２は図１のＡ部を一部省略し主要部を拡大して示す正面図である。図７と同一部分には同一符号を付した図１及び図２において、ゴンドラは、保護柵１ａを有するゴンドラ本体１を備え、このゴンドラ本体１の水平方向両側に牽引用ワインダー２が設けられている。ゴンドラ本体１は、このワインダー２により昇降路１０の天井に固定されて吊下げられた牽引用ワイヤーロープ３を牽引操作して昇降できるようになっている。このゴンドラ本体１には、ゴンドラ本体１の落下を防止する安全装置本体４が設けられている。この安全装置本体４は、ゴンドラ本体１のワインダー２の近くにそれぞれ設けられ、また昇降路１０の天井に固定されて吊下げられた安全用ワイヤーロープ５が内部を貫通するように設けられており、ゴンドラ本体１が何らかの理由で落下する状況になった際には、その異常な降下速度を検出して安全用ワイヤーロープ５を把持することによりゴンドラ本体１を停止させるようになっている。
【００１４】
安全用ワイヤーロープ５は、ゴンドラ本体１の昇降に対応して安全装置本体４の内部を何ら拘束されずに通過する必要があるため、安全用ワイヤーロープ５の下部には昇降路１０の床面より浮き上がった位置に重り１６が取り付けられ、安全用ワイヤーロープ５が重り１６の重みによって鉛直方向に沿って直線性を保持するようにしている。
【００１５】
図３は重り１６を示す斜視図、図４（ａ）ないし（ｄ）は重りを構成する部品を示す斜視図である。図３及び図４において、重り１６は、図４（ａ）に示す第１の板材１７、図４（ｂ）に示す第２の板材１８、図４（ｃ）に示す第３の板材１９を積み重ねて構成されている。第１の板材１７は、周縁部の１ヶ所から中央部に向かって切り欠き１７ａが形成され、また２個の連結用孔１７ｂが片側に寄せて、かつ間隔をおいて形成されている。第２の板材１８は、第１の板材１７のおよそ半分の大きさで構成され、連結用孔１７ｂと同じ位置に連結用孔１８ｂが形成されている。第３の板材１９は、第１の板材１７の切り欠き１７ａとは１８０度反対側の位置に周縁部の１ヶ所から中央部に向かって延びる切り欠き１９ａが形成されており、また連結孔１７ａと同じ位置に連結孔１９ｂが形成されている。この板材１９には更に切り欠き１９ａの両側に外れ止め用のネジ穴１９ｃが形成されている。
【００１６】
これら第１ないし第３の板材１７ないし１９を所定枚数積み重ねて重り１６が構成されている。図３に示す実施の形態では、第１の板材１７を４枚積み重ね、その上に第２の板材１８を２枚積み重ね、更にその上に第３の板材１９を４枚積み重ねて各板材１７ないし１９の連結用孔を通してボルト、ナット、ワッシャなどの連結具２０により連結して一体化し重り１６が構成されている。
【００１７】
これにより、第１の板材１７の切り欠き１７ａと、およそ半分の大きさの第２の板材１８が介在することによって形成される板材１７，１９間の空間と、第３の板材１９の切り欠き１９ａとによって、重り１６には中央部に安全用ワイヤーロープが上下方向に沿って貫通する貫通孔が形成され、更に安全用ワイヤーロープが重り１６の側面から中央部に向けて挿通でき、９０度向きを変えることによって貫通孔に導入可能な挿通用切り欠き１６ａが形成されることになる。
【００１８】
なお、最上部の板材１９には外れ止め用ネジ穴にボルト２２により外れ止め２１が取り付けられる。この外れ止め２１は、安全用ワイヤーロープが重り１６の中央部に形成される貫通孔に導入された後に重り１６から外れないようにするために設けられるもので、図４（ｄ）に示すように、短冊状の板材の一端部にボルト２２の軸に挿通される切り欠き２１ａが形成され、他端部に回転支点となるボルト２２が挿入されるボルト孔２１ｂが形成されている。この外れ止め２１は、ボルト２２の緩みによる外れが生じないようにするために、切り欠き２１ａの位置を図示の場合の１８０度反対側に設けたり、あるいは折曲げワッシャを介在させたりすることもできる。
【００１９】
図５は、本実施の形態で使用する重り１６の取り付け手順を示す工程図である。吊下げられた安全用ワイヤーロープ５の重り取り付け位置（昇降路床面から少し浮き上がった位置）にクリップ２３を取り付け固定する。このクリップ２３より上方の安全用ワイヤーロープ５の途中位置において、側面から切り欠き１６ａを利用して重り１６を嵌め込み、さらに９０度回転させて中央部の貫通孔に安全用ワイヤーロープ５が位置するように取り付ける。次いで重り１６に外れ止め２１を取り付け、クリップ２３上に重り１６を載置する。
【００２０】
このようにすれば、重り１６は、昇降路１０の上部から吊下げられた安全用ワイヤーロープ５に対して、重り１６が有する挿通用切り欠き１６ａを通して安全用ワイヤーロープ５の途中位置から挿入して取り付けることができる。これにより安全用ワイヤーロープ５の整理された状態を解いて先端から挿入する作業に比べて作業性を向上することができる。
【００２１】
しかも重り１６は、複数枚の板材１７および１９に形成された切り欠きまたは異なる形状の板材１８を組合せて積み重ねることにより挿通用切り欠き１６ａが構成できるので、重りを加工する必要がなく容易に挿通用切り欠き１６ａを形成することができる。
【００２２】
また重り１６は、複数枚の板材１７ないし１９の枚数を増減することにより重量調整が可能であり、例えば安全用ワイヤーロープ５の吊り長さに応じて重り１６の重量を変えることができる。
【００２３】
図６は本発明によるゴンドラの安全装置に使用する重りの第２実施の形態を示す斜視図である。本実施の形態が第１実施の形態と異なる点は、重り１６の上部にクリップ２４を設けたところにある。クリップ２４は、Ｕ字状の基部２４ａと先端部に凹部を有する挟持片２４ｂとを備えている。基部２４ａは、両端部にネジ部を設けた棒材をＵ字状に折曲げ、かつ両端部を上方に浮かせて重り１６の貫通孔を取り囲むように配置して最上面の板材１９に溶接して取り付けられ、挟持片２４ｂは、重り１６に安全用ワイヤーロープの挿通後、基部２４ａの両端部に挿入されて取り付けられ、挟持片２４ｂの外側からナット２４ｃが螺合されて締め付けられることにより、基部２４ａと挟持片２４ｂとで安全用ワイヤーロープを挟みつけて重り１６を安全用ワイヤーロープに固定するように構成したものである。
【００２４】
このように安全用ワイヤーロープに重り１６を固定するクリップ２４を重り１６の上部に設けることにより、重り１６を安全用ワイヤーロープに取り付ける作業と同時に固定する作業も容易に行なうことができる。
【００２５】
【発明の効果】
以上説明したように、本発明のゴンドラの安全装置によれば、安全用ワイヤーロープの下方に設けられる重りを、中央部に安全用ワイヤーロープが上下方向に沿って貫通する貫通孔を有すると共に、側面から中央部に向けて安全用ワイヤーロープが挿通できて貫通孔に導入可能な挿通用切り欠きを有するように構成したことにより、重りが有する挿通用切り欠きを通して安全用ワイヤーロープの途中位置から挿入して取り付けることができるので、安全用ワイヤーロープの整理された状態を解いて先端から挿入する作業に比べて作業性を向上することができる。さらに安全用ロープに対する負荷も低減させることができる。
【図面の簡単な説明】
【図１】本発明の第１実施の形態に係るゴンドラの安全装置を示す正面図である。
【図２】図１のＡ部を一部省略し拡大して示す正面図である。
【図３】第１実施の形態で使用される重りを示す斜視図である。
【図４】（ａ）ないし（ｄ）は第１実施の形態で使用される重りの部品を示す斜視図である。
【図５】第１実施の形態で使用される重りを安全用ワイヤーロープに取り付ける手順を示す工程図である。
【図６】本発明の第２実施形態で使用される重りを示す斜視図である。
【図７】従来のゴンドラの安全装置を示す正面図である。
【符号の説明】
１…ゴンドラ本体
１ａ…保護柵
２…牽引用ワインダー
３…牽引用ワイヤーロープ
４…安全装置本体
５…安全用ワイヤーロープ５
６，１６…重り
１０…昇降路
１６ａ…挿通用切り欠き
１７、１８，１９…板材
１７ａ，１９ａ…切り欠き
１７ｂ，１８ｂ，１９ｂ…連結用孔
１９ｃ…ネジ穴
２０…連結具
２１…外れ止め
２１ａ…切り欠き
２１ｂ…ボルト孔
２２…ボルト
２３，２４…クリップ
２４ａ…基部
２４ｂ…挟持片
２４ｃ…ナット
【図１】
2004123356.tif 000003
【図２】
2004123356.tif 000004
【図３】
2004123356.tif 000005
【図４】
2004123356.tif 000006
【図５】
2004123356.tif 000007
【図６】
2004123356.tif 000008
【図７】
2004123356.tif 000009